(57)【要約】  本発明は、光学密度の変化を有する光境界面をそれぞれ形成する光入射面および／または光出射面および／または反射面として構成されている複数の光学面を用いて、光を集束する光学コリメータに関する。複数の光源が使用される場合であっても均質な照明が可能になり、その際にコンパクトに構成されかつコストをかけずに作製可能にされるコリメータを提案するために、本発明では、コリメータが、複数の光学面のうちの少なくとも１つに構成されている多数の凹形マイクロレンズ（３、１１）を有する、ように構成される。
2021532536.tif 000002
【特許請求の範囲】
【請求項１】
光学密度の変化を有する光境界面をそれぞれ形成する光入射面（３、６）および／または光出射面（４、８）および／または反射面（７）として構成されている複数の光学面を用いて、光を集束するコリメータであって、
複数の前記光学面のうちの少なくとも１つに構成されている複数の凹形マイクロレンズ（１１）を有する、
コリメータ。
【請求項２】
前記コリメータは、
後方の光入射面（３）および前方の光出射面（４）を有する集光レンズ（２）と、
光入射面（６）、ＴＩＲ反射器面（７）および光出射面（８）を有する反射器部分（５）と
を、備えたＴＩＲコリメータ（１）として構成されており、
前記反射器部分（５）は、前記ＴＩＲコリメータ（１）が、前記集光レンズ（２）の前記光入射面（３）と、前記反射器部分（５）の前記光入射面（６）とによって画定されている後方の空所（９）を有する、ように中央の前記集光レンズ（２）を取り囲んでいる、請求項１記載のコリメータ。
【請求項３】
前記凹形マイクロレンズ（１１）が、
前記集光レンズ（２）の前記光入射面（３）および／または
前記集光レンズ（２）の前記光出射面（４）および／または
前記反射器部分（５）の前記光入射面（６）および／または
前記ＴＩＲ反射器面（７）および／または
前記反射器部分（５）の前記光出射面（８）に形成されている、
請求項２記載のコリメータ。
【請求項４】
凹形マイクロレンズ（１１）のない少なくとも１つの光学面に凸形マイクロレンズ（１２）が形成されている、請求項３記載のコリメータ。
【請求項５】
前記集光レンズ（２）の前記光入射面（３）に凹形マイクロレンズ（１１）が、かつ前記ＴＩＲ反射器面（７）に凸形マイクロレンズ（１２）が形成されている、
請求項４記載のコリメータ。
【請求項６】
前記凹形マイクロレンズ（１１）は、実質的に円形に構成されているか、または多角形の境界を有し、かつ好適には０．４ｍｍ〜３ｍｍの平均直径Ｄを有する、請求項１から５までのいずれか１項記載のコリメータ。
【請求項７】
前記凹形マイクロレンズ（１１）は、球面状または非球面状に構成されており、球面状のマイクロレンズ（１１）は、好適には０．３ｍｍ〜１００ｍｍの曲率半径Ｒを有する、請求項１から６までのいずれか１項記載のコリメータ。
【請求項８】
前記凹形マイクロレンズ（１１）は、０．０５ｍｍ〜１ｍｍの深さＴを有する、請求項１から７までのいずれか１項記載のコリメータ。
【請求項９】
前記コリメータの前記光学面において前記凹形マイクロレンズ（１１）が、均等または不均等に配置されている、請求項１から８までのいずれか１項記載のコリメータ。
【請求項１０】
可変の光学的設計を有するマイクロレンズ、特に、種々異なる曲率半径および／または異なる平均直径を有するマイクロレンズが配置され、かつ／または非球面状のマイクロレンズが配置されている、請求項１から９までのいずれか１項記載のコリメータ。
【発明の詳細な説明】
【技術分野】
【０００１】
本発明は、光学密度(optischen Dichte)の変化を有する光境界面をそれぞれ形成する光入射面および／または光出射面および／または反射面として構成されている複数の光学面を用いて、光を集束する光学コリメータに関する。
【０００２】
このようなコリメータは、従来技術から公知であり、光源から放出される光を束ねるために使用され、これにより、個別の設定に照明を適合させることが可能である。特に懐中電灯およびヘッドランプでは、放出される光円錐を集束するためにこのようなコリメータが使用される。
【０００３】
大きな光束を形成するためには、例えば、正方向に配置された４つのＬＥＤまたはＬＥＤケーシングにおける複数のＬＥＤチップのように互いに密に配置された複数の光源が使用されることが多い。しかしながらこれにより、均質な光源は得られず、これによって特に、比較的小型のコリメータとの組み合わせでは、不均質な照明が生じてしまう。均質な照明とは、照明光学系において、照明装置によって照射されるテスト表面において照明強度が均等に配置されていることであると理解される。例えば、正方向状、点状または十字形の明暗コントラストのような不均質な照明におけるアーチファクトは、均質な照明においては人間の眼に見えない。
【０００４】
このようなアーチファクトを回避するために、数多くの小さな散乱中心を有しかつ光源とは反対側を向いた、コリメータの面に配置されているディフューザもしくは散乱プレートが公知である。しかしながらこのような付加的なディフューザは、欠点を有する。というのは、ディフューザは、作製および取り付けの際に付加的なコストを生じ、またはディフューザは、小さく手頃な懐中電灯およびヘッドランプには限定的にしか得られない付加的なスペースを必要とするからである。
【０００５】
さらに、コリメータの光出射面をディフューザとして構成することが公知である。このために、コリメータの光出射面の一部または全体が、つや消し仕上げされる。このことは不利なことにも、光の一定の後方散乱に結び付いてしまい、これによって効率が低下してしまう。さらに拡散構造は、指定するのが困難であり、かつ再現可能に作製するのが困難である。というのは、侵食またはエッチングのような非決定的なプロセスがこのために使用されることが多いからである。
【０００６】
最後に、コリメータの光出射面に凸形マイクロレンズを配置することが公知であり、このことは特に、コリメータと光源との間の間隔が変化するズーム光学系では、光分散における不均質性に結び付くことがある。この不均質性が生じるのは、マイクロレンズが、コリメータの特定の設定において光源の近くに配置されている焦平面を有し、これにより、光源の多重画像が遠方場に投影されるからである。多重画像は、振幅が小さい場合であっても人間の眼に知覚され得る波長の短い輝度変調を生じさせる。このような場合、テスト表面には一般にグリッド状の明暗コントラストが識別され得る。
【０００７】
この問題は確かに少なくとも部分的には、マイクロレンズを小型化することによって取り除くことが可能である。というのはこれにより、光散乱の作用は維持されるが、マイクロレンズの焦点距離が短くなるからである。しかしながらこのような小型のマイクロレンズの作製には比較的コストがかかり、またマイクロレンズを作製するための成形型に対する要求が高い。
【０００８】
上記のことから出発して、本発明の課題は、従来技術の欠点を少なくとも部分的に取り除くことである。特に、複数の光源を使用する場合であっても均質の照明を可能にするコリメータを提案したい。この際にコリメータが、コンパクトに形成され、かつコストをかけずに作製できるようにしたい。
【０００９】
この課題は、請求項１に記載されたコリメータによって解決され、これによれば、本発明により、コリメータが、複数の光学面のうちの少なくとも１つに構成されている多数の凹形マイクロレンズを有する、ように構成される。
【００１０】
遠方場に投影され得る凹形マイクロレンズ焦平面は、凸形マイクロレンズの焦平面とは異なり、仮想的でありかつ光源とは反対側の面にある。これにより、多重結像によるアーチファクトが阻止される一方で、その他の点においてはマイクロレンズの散乱特性が維持される。
【００１１】
以下および従属請求項において本発明の好ましい実施形態を説明する。
【００１２】
好ましい第１実施形態によれば、コリメータは、いわゆるＴＩＲコリメータ（Total Internal Reflection - Kollimator）として構成されている。ＴＩＲコリメータは、後方の光入射面および前方の光出射面を有する中央の集光レンズ２を備えている。後方の光入射面は、平坦、凹または凸に構成可能である。さらにＴＩＲコリメータは、光入射面、ＴＩＲ反射器面および光出射面を有する反射器部分を有し、この反射器部分は、コリメータが、集光レンズの光入射面と、反射器部分の光入射面とによって画定されている後方の空所を有する、ように中央の集光レンズを取り囲んでいる。このようなＴＩＲコリメータの凹形マイクロレンズは、好適には、集光レンズの光入射面、集光レンズの光出射面、反射器部分の光入射面、ＴＩＲ反射器表面、および／または反射器部分の光出射面に形成されている。問題にしているアーチファクトの大部分は、集光レンズによって生じるため、大多数の適用事例では、集光レンズの光入射面または光出射面が凹形マイクロレンズを有すればそれだけで十分である。補足的には、残りの光学面が、任意の組み合わせで凹形マイクロレンズを同様に有してもよい。
【００１３】
本発明の好ましい一実施形態によれば、凹形マイクロレンズのない少なくとも１つの光学面に凸形マイクロレンズが形成されている、ように構成される。この際に好適には、集光レンズの光入射面に凹形マイクロレンズが、かつＴＩＲ反射器面に凸形マイクロレンズが形成されている、ように構成される。集光レンズの光入射面は、特に、この実施形態において凹形に形成されていてよく、この際には集光レンズの凸形の光出射面の曲率半径よりも格段に大きい曲率半径が設定される。
【００１４】
凹形マイクロレンズが、簡単な手段でかつコストをかけずに作製できるようにするために、凹形マイクロレンズレンズは、実質的に円形に構成されているか、または多角形の境界線を有し、かつ好適に０．４ｍｍ〜３ｍｍの平均直径を有する。これにより、統一されたマイクロレンズの好ましい配置において、マイクロレンズ密度は、１ｃｍ２あたり９〜６２５個のマイクロレンズが実現される。しかしながら適用事例に応じて、種々異なる直径を有するマイクロレンズが配置され、これにより、コリメータの散乱特性にプラスの影響を生じさせる、ようにも構成される。
【００１５】
マイクロレンズは、球面状または非球面状に構成されていてよく、球面状のマイクロレンズは、好適には０．３ｍｍ〜２０ｍｍの曲率半径Ｒを有する。ここでは、マイクロレンズの深さＴが、０．０５ｍｍ〜１ｍｍで変化する、ように構成される。
【００１６】
大きさが均等でないマイクロレンズを配置することに加えて、コリメータの光学表面において、凹形マイクロレンズおよび凸形マイクロレンズは、均等または不均等に配置(Verteilung)される、ようにも構成される。さらに、可変の光学的設計(variabler optischer Auslegung)を有するマイクロレンズ、例えば、種々異なる曲率半径、異なる平均直径または非球面状のマイクロレンズを有するマイクロレンズが配置される、ようにも構成される。同様に、領域毎または面を覆ってマイクロレンズが配置される、ように構成される。
【００１７】
凹形マイクロレンズを有する上で説明したコリメータは、好適には、射出成形法で作製され、このためにマイクロレンズに対応する凸形構造体が射出成形型に設けられており、これらの凸形構造体は、ダイヤモンド旋削、高速フライス切削またはこれに相当する機械加工を用いて直接に導入することが可能である。しかしながらマイクロレンズの縁部には、使用される成形型の半径および別の製造技術的なパラメータに大きさが依存する丸みが発生する。この丸みが十分に小さい場合、マイクロレンズの光学的な機能は、これによって大きく損なわれることはない。
【００１８】
択一的には、マイクロレンズに対応する構造が凹形に形成されている、成形型のネガを作製することができ、これにより、機械加工ツールはこの構造に容易に到達可能である。これについては第２ステップにおいて、例えば十分な厚さのニッケル層のガルバニック成長によって成形型が複製され、引き続いてこのニッケル層がネガから外されてさらに加工される。次にこの成形型では、成形構造が凸形になり、また誘電体によって複製される際に、凹形マイクロレンズを有するコリメータが生じ、その縁部には丸みが発生することがない。
【００１９】
以下、図面に基づき、本発明の具体的な実施形態を説明する。
【図面の簡単な説明】
【００２０】
【図１】従来技術によるＴＩＲコリメータの断面図である。
【図２】本発明によるコリメータの種々異なる断面図である。
【図３】凹形マイクロレンズの断面図である。
【図４】マイクロレンズの種々異なる配置を示す図である。
【００２１】
図１には、従来技術から公知であるＴＩＲコリメータ１が示されている。このようなＴＩＲコリメータ１は、後方の光入射面３および前方の光出射面４によって定められている中央の集光レンズ２を有する。中央の集光レンズ２は、側方に光入射面６、ＴＩＲ反射面７を有しかつ前面側に光出射面８を有する反射器部分５によって取り囲まれている。反射器部分５は、ＴＩＲコリメータ１が、反射器部分５の光入射面６と、中央の集光レンズ２の光入射面３とによって画定されている後方の空所９を有する、ように中央の集光レンズ２を取り囲んでいる。このようなＴＩＲコリメータ１の取付状態において、光源１０は、空所９の内部または下方に設けられており、これにより、ＬＥＤの放出された光は、完全にまたは少なくとも大部分がＴＩＲコリメータ１に進入する。この光は、ＴＩＲコリメータ１内で、中央の集光レンズ２において束ねられるか、または反射器部分５のＴＩＲ反射器面７において全反射される。光束を増大させるために、一般に複数の光源１０が使用され、これらの光源１０間にはわずかな間隔Ａが配置されている。これにより、もはや均質な光源１０は存在せず、放出された光は、明暗コントラスの形態の不均質性を有する。
【００２２】
このような不均質性を取り除くために、本発明の具体的な一実施形態によれば、凹形マイクロレンズ１１が、中央の集光レンズ２の光入射面３に配置される、ように構成される。これにより、多重結像が阻止され、かつ説明した不均質性が回避される。図２ａには、中央の集光レンズ２の光入射面３に凹形マイクロレンズ１１が配置されているこのようなＴＩＲコリメータ１が示されている。
【００２３】
図２ｂ〜ｆには、ＴＩＲコリメータ１の別の光学面に凹形マイクロレンズ１１が備え付けられている択一的な複数の実施形態が示されている。具体的にはマイクロレンズ１１は、反射器５の光出射面８（図２ｂ）に、反射器部分５の光入射面６（図２ｃ）に、集光レンズ２の光出射面４（図２ｄ）に、かつ／またはＴＩＲ反射器面７（図２ｅ）に構成されている。
【００２４】
図２ｆには、凹形マイクロレンズ１１および凸形マイクロレンズ１２の配置が、異なる光学面において混在する、本発明の特に好ましい一実施形態が示されている。図示した実施例において凹形マイクロレンズ１１が、集光レンズ２の凹形の光入射面３に構成されているのに対し、ＴＩＲ反射器面７は、凸形マイクロレンズ１２を有する。ＴＩＲ反射器面７において凸形マイクロレンズ１２を使用することにより、この適用例において不均質性が形成されることはなく、またここでは成形型がより容易に作製できるという理由から、凸形マイクロレンズ１２の使用は好ましい。
【００２５】
図３には、個々の凹形マイクロレンズ１１の断面が部分的に示されており、これらの凹形マイクロレンズは、断面において実質的に部分円状に構成されている。図示したマイクロレンズ１１は、１ｍｍの平均直径Ｄと、４ｍｍの曲率半径Ｒを有する。さらにこのマイクロレンズは、０．０３ｍｍの深さＴを有する。
【００２６】
マイクロレンズは、均等または不均等に、ならびに部分的にまたは面を覆って光学面に配置されていてよい。図４ａ〜ｃは、平均して同じ大きさを有するマイクロレンズの好ましい配置が示されている。具体的には図４ａには、マイクロレンズの六角形状の配置が、また図４ｂには同心円におけるマイクロレンズの配置が示されている。図４ｃには、葉序状の配置が示されている。
【図１】
2021532536.tif 000003
【図２ａ】
2021532536.tif 000004
【図２ｂ】
2021532536.tif 000005
【図２ｃ】
2021532536.tif 000006
【図２ｄ】
2021532536.tif 000007
【図２ｅ】
2021532536.tif 000008
【図２ｆ】
2021532536.tif 000009
【図３】
2021532536.tif 000010
【図４ａ】
2021532536.tif 000011
【図４ｂ】
2021532536.tif 000012
【図４ｃ】
2021532536.tif 000013
【国際調査報告】
2021532536.tif 000014
2021532536.tif 000015
2021532536.tif 000016
2021532536.tif 000017